(57)【要約】【課題】向きの確認が不要で挿入動作が容易な電池、その電池収納室及びそれを備えた電子機器を低コストで提供する。【解決手段】電池３１は、その外形が略直方体に形成されている。「ＢＡＴ．」マークの付された正面３１ａの短辺を横にして見たときの側面が電極面３１ｃとなっている。電極面３１ｃの中心線に沿って正電極３４、負電極３５が形成されている。さらに、正電極３４は、電極面３１ｃの略中央に配されている。電池収納室１１は電池３１に合わせて底面が開口された略直方体形状で、一方の側面を接続面１７とする。この接続面１７は、電池３１の電極面３１ｃと略同寸法の縦長矩形で、その中心線に沿ってマイナス端子１９、プラス端子１８、マイナス端子２０がその順に間隔を略均等にして設けられている。接続面１７に対面する側面も同様、縦長矩形で、その中心線に沿ってプラス端子２２、マイナス端子２３、２４が設けられた接続面２１となっている。【選択図】図１
2007280685.tif 000002
【特許請求の範囲】
【請求項１】
第１及び第２電極が設けられた電極面を有し、その電極面と略直交する方向に沿って前記電極面と略同一の断面形状が連続する略柱状に形成されており、電池収納室に挿入することでそこに設けられた接続端子に前記第１及び第２電極がそれぞれ接続される電池において、
前記電極面は、その回転対称の中心軸回りに所定の回転角度で回転したときに同形状となる略回転対称形状であり、前記中心軸上に前記第１電極が形成され、その第１電極から所定間隔を置いて前記第２電極が形成されており、
前記電池収納室へは、少なくとも第１の向きと、この第１の向きに対して前記中心軸回りに前記回転角度で回転した第２の向きとを含む複数の向きで挿入可能であり、
前記電池収納室への挿入が前記第１の向きでされた場合と前記第２の向きでされた場合とでは、前記第１電極は同じ位置の前記接続端子と接続され、前記第２電極は異なる位置の接続端子と接続されることを特徴とする電池。
【請求項２】
前記電極面は、前記電池収納室への挿入方向と略直交する方向に沿って前記中心軸が配され、その中心軸回りに１８０度回転したときに同形状となる点対称形状であることを特徴とする請求項１記載の電池。
【請求項３】
前記電極面は、前記電池収納室への挿入方向と略平行な方向に沿って前記中心軸が配され、その中心軸回りに１８０度回転したときに同形状となる点対称形状であることを特徴とする請求項１記載の電池。
【請求項４】
その外形が略直方体に形成されていることを特徴とする請求項２又は請求項３記載の電池。
【請求項５】
前記第２電極は、前記電極面上の中心線上に形成されていることを特徴とする請求項１ないし請求項４いずれか記載の電池。
【請求項６】
請求項１ないし請求項５いずれか記載の電池を収納する電池収納室において、
前記第１又は第２の向きで前記電池が挿入されたときに前記第１電極と接続する第１接続端子と、
前記第１の向きで前記電池が挿入されたときに前記第２電極と接続する第２接続端子と、
前記第１接続端子を中心にして前記第２接続端子と点対称な位置にあり、前記第２の向きで前記電池が挿入されたときに前記第２電極と接続する第３接続端子とを備えた接続部を有することを特徴とする電池収納室。
【請求項７】
前記接続部は、前記電池の挿入方向と略平行で、且つ互いに対面する２つの面にそれぞれ設けられていることを特徴とする請求項６記載の電池収納室。
【請求項８】
前記接続部は、前記電池の挿入方向と略直交する面に設けられていることを特徴とする請求項６記載の電池収納室。
【請求項９】
請求項６ないし請求項８いずれか記載の電池収納室を備えた電子機器。
【発明の詳細な説明】
【技術分野】
【０００１】
本発明は、電池、それを収納する電池収納室、及びそれを備えた電子機器に関する。
【背景技術】
【０００２】
デジタルカメラなどの携帯使用を前提とした小型の電子機器では、電源としてバッテリパックや市販の乾電池等といった電池が用いられるのが通常である。そのため電子機器の筐体内には、それらが収納される収納室が設けられている。
【０００３】
電池は正及び負の電極を有しており、電子機器の挿入口から収納室へ挿入するときには、その挿入方向に対して所定の向きである必要がある。そのため、収納室にプラスマイナスの極性を分かり易く表示して、挿入するときの電池の正しい向きを知らせる構成がある（例えば、特許文献１参照）。また、誤って電池の向きを逆にして挿入してしまった場合には、電極と導電部との接触を避け、電池からの通電を遮断し、電子機器の故障を防ぐ構成もある（例えば、特許文献２、３参照）。しかし、これらの構成では、挿入の際に電池が所定の向きになっていることを確認する必要があり、電池の挿入動作は面倒である。
【０００４】
そこで、電池の向きに関係なく、挿入された電池を正しく通電させることのできる電池収納装置が提案されている（例えば、特許文献４参照）。この電池収納装置は、市販の乾電池等に用いるものである。具体的には、乾電池に正電極として形成された円筒形状の凸部を、機械的に作用させて通電する向きを切り替える構造となっている。これによれば、挿入する際に電池の向きを確認する必要がない。
【特許文献１】特開平９−３２０５５５号公報
【特許文献２】特開２００２−１８４３７７号公報
【特許文献３】特開２００４−２５３２６３号公報
【特許文献４】特開２００５−６３８６６号公報
【発明の開示】
【発明が解決しようとする課題】
【０００５】
しかしながら、特許文献４の電池収納装置では、複雑な機械的構造となるため、製造コストの上昇が考えられる。また、この電池収納装置は市販の乾電池等に用いることを前提とした構造を有しており、一般的に凸部を有しない略平坦に近い直方体形状である電子機器専用バッテリパックには対応させることができない。
【０００６】
本発明は、上記課題を解決するものであり、向きの確認を不要とし、挿入動作が容易な電池、それを収納する電池収納室及びそれを備えた電子機器を低コストで提供することを目的とする。
【課題を解決するための手段】
【０００７】
上記目的を達成するために、本発明の電池は、第１及び第２電極が設けられた電極面を有し、その電極面と略直交する方向に沿って電極面と略同一の断面形状が連続する略柱状に形成されており、電池収納室に挿入することでそこに設けられた接続端子に第１及び第２電極がそれぞれ接続される電池であって、電極面は、その回転対称の中心軸回りに所定の回転角度で回転したときに同形状となる略回転対称形状であり、中心軸上に第１電極が形成され、その第１電極から所定間隔を置いて第２電極が形成されており、電池収納室へは、少なくとも第１の向きと、この第１の向きに対して中心軸回りに回転角度で回転した第２の向きとを含む複数の向きで挿入可能であり、電池収納室への挿入が第１の向きでされた場合と第２の向きでされた場合とでは、第１電極は同じ位置の接続端子と接続され、第２電極は異なる位置の接続端子と接続されることを特徴とする。
【０００８】
なお、電極面は、電池収納室への挿入方向と略直交する方向に沿って中心軸が配され、その中心軸回りに１８０度回転したときに同形状となる点対称形状であることが好ましい。
【０００９】
または、電極面は、電池収納室への挿入方向と略平行な方向に沿って中心軸が配され、その中心軸回りに１８０度回転したときに同形状となる点対称形状であることが好ましい。
【００１０】
また、その外形が略直方体に形状されていることが好ましい。
【００１１】
さらに、第２電極は、電極面上の中心線上に形成されていることが好ましい。
【００１２】
本発明の電池収納室は、電池を収納する電池収納室であって、第１又は第２の向きで電池が挿入されたときに第１電極と接続する第１接続端子と、第１の向きで電池が挿入されたときに第２電極と接続する第２接続端子と、第１接続端子を中心にして第２接続端子と点対称な位置にあり、第２の向きで電池が挿入されたときに第２電極と接続する第３接続端子とを備えた接続部を有することを特徴とする。
【００１３】
なお、接続部は、電池の挿入方向と略平行で、且つ互いに対面する２つの面にそれぞれ設けられていることが好ましい。
【００１４】
または、接続部は、電池の挿入方向と略直交する面に設けられていることが好ましい。
【発明の効果】
【００１５】
本発明の電池によれば、電極面は、その回転対称の中心軸回りに所定の回転角度で回転したときに同形状となる略回転対称形状であり、中心軸上に第１電極が形成され、その第１電極から所定間隔を置いて第２電極が形成されており、電池収納室へは、少なくとも第１の向きと、この第１の向きに対して中心軸回りに回転角度で回転した第２の向きとを含む複数の向きで挿入可能であり、電池収納室への挿入が第１の向きでされた場合と第２の向きでされた場合とでは、第１電極は同じ位置の接続端子と接続され、第２電極は異なる位置の接続端子と接続されることより、電池収納室へ挿入する際に電池の向きを気にする必要がない。
【００１６】
本発明の電池収納室によれば、第１又は第２の向きで電池が挿入されたときに第１電極と接続する第１接続端子と、第１の向きで電池が挿入されたときに第２電極と接続する第２接続端子と、第１接続端子を中心にして第２接続端子と点対称な位置にあり、第２の向きで電池が挿入されたときに第２電極と接続する第３接続端子とを備えた接続部を有することより、電池を挿入する際にその向きを気にする必要がない。また、機械的構造を複雑にすることはなく、電子機器に組み込む場合に大きさや製造コストが問題になることはない。
【発明を実施するための最良の形態】
【００１７】
以下、本発明の第１実施形態を適用した電池収納室１１を備えたデジタルカメラ１２、及び電池３１について図面を参照しながら説明する。図１に示すように、デジタルカメラ１２には、筐体１３の内部に電池３１を収納する略直方体形状の電池収納室１１が形成されている。筐体１３の下面には、電池収納室１１に電池３１を挿入するための略矩形の挿入口１４が形成されている。その挿入口１４近傍には、挿入口１４よりサイズが一回り大きい略矩形の電池カバー１５がヒンジ１６によって回動自在に連結されている。挿入口１４は、電池カバー１５の回動によって開閉される。
【００１８】
本実施形態に係る電池３１は、その外形が略直方体に形成されている。以下では説明の都合から、電源であることを示す「ＢＡＴ．」マークが付された面を正面３１ａ、その反対側を背面３１ｂ、正面３１ａの短辺を横にして見たときの両側を側面３１ｃ、３１ｄ、「ＢＡＴ．」マークに対して上下の面をそれぞれ上面３１ｅ、底面３１ｆとする。この電池３１は、正面３１ａの長辺を縦に、短辺を横にした基準状態の向き（図１、図２（Ａ）参照）を含む複数の向きで電池収納室１１へ挿入可能となっている。この電池３１は、一方の側面３１ｃが電極面となっており、この側面（電極面）３１ｃは、縦長矩形の中心線が電池収納室１１への挿入方向と略平行であり、この中心線に沿って正電極（第１電極）３４、負電極（第２電極）３５が形成されている。さらに、正電極３４は、電極面３１ｃの略中央に配されている。電池３１は、正電極３４、負電極３５を除く略全ての部分が電気絶縁性の高い部材によって覆われており、電極３４、３５以外の部分では導電しないようになっている。
【００１９】
電池収納室１１は、電池３１に合わせて底面が開口された略直方体形状で、デジタルカメラ１２を正面から見たときの一方の側面が接続面（接続部）１７となっている。この接続面１７は、上述した電池３１の電極面３１ｃと略同寸法の縦長矩形で、プラス端子（第１接続端子）１８と、マイナス端子（第２接続端子、第３接続端子）１９、２０とが設けられている。接続面１７の中心線は、電池３１の挿入方向と略平行であり、この中心線に沿ってマイナス端子１９、プラス端子１８、マイナス端子２０と順に並び、さらに接続面１７の略中央に位置するプラス端子１８からマイナス端子１９及び２０までの間隔が略均等に配されている。
【００２０】
電池収納室１１の他方の側面は、対面する接続面１７と同様、縦長矩形の接続面（接続部）２１となっている。この接続面２１は、プラス端子（第１接続端子）２２と、マイナス端子（第２接続端子、第３接続端子）２３、２４とが設けられている。接続面２１に対するプラス端子２２、マイナス端子２３、２４の並び順及び配置間隔は、接続面１７に対するプラス端子１８、マイナス端子１９、２０の並びと同様である。
【００２１】
上述した電池収納室１１に設けられているプラス端子１８と、マイナス端子１９、２０との間隔ＤＢ１と、反対側のプラス端子２２と、マイナス端子２３、２４との間隔ＤＢ２とは等しく、さらに、これらの間隔ＤＢ１、ＤＢ２は、電池３１に形成された正電極３４及び負電極３５の間隔ＤＡ１と等しくなっている。
【００２２】
以下では、本実施形態の電池３１を電池収納室１１に挿入するときの動作について説明する。先ず、電池３１を図２（Ａ）に示す基準状態の向きにしてその上面３１ｅが電池収納室１１の天板に当接するまで挿入すると、正電極３４はプラス端子２２と接続し、負電極３５はマイナス端子２３と接続する。なお、電池３１は、電極３４、３５を除く部分が絶縁されているため、電極３４、３５と接続されたプラス端子２２及びマイナス端子２３以外の端子とは導通しない。
【００２３】
電池３１は、略直方体形状であることから、電極面３１ｃに直交するＸ軸、挿入方向と平行なＺ軸、及びＸ軸とＺ軸とのそれぞれに直交するＹ軸のいずれの軸を中心に１８０度回転させても外観上の形状は略同一である。基準状態の向きの電池３１を、Ｘ軸を中心に１８０度回転させて、図２（Ｂ）に示す上下反転状態の向きにしてその底面３１ｆが電池収納室１１の天板に当接するまで挿入すると、正電極３４はプラス端子２２と接続し、負電極３５はマイナス端子２４と接続する。なお、電池３１は、電極３４、３５を除く部分が絶縁されているため、電極３４、３５と接続されたプラス端子２２及びマイナス端子２４以外の端子とは導通しない。
【００２４】
基準状態の向きの電池３１を、Ｚ軸を中心に１８０度回転させて、図３（Ａ）に示す左右反転状態の向きにしてその上面３１ｅが電池収納室１１の天板に当接するまで挿入すると、正電極３４はプラス端子１８と接続し、負電極３５はマイナス端子１９と接続する。なお、電池３１は、電極３４、３５を除く部分が絶縁されているため、電極３４、３５と接続されたプラス端子１８及びマイナス端子１９以外の端子とは導通しない。
【００２５】
基準状態の向きの電池３１を、Ｙ軸を中心に１８０度回転させて、図３（Ｂ）に示す上下左右反転方向の向きにしてその底面３１ｆが電池収納室１１の天板に当接するまで挿入すると、正電極３４はプラス端子１８と接続し、負電極３５はマイナス端子２０と接続する。なお、電池３１は、電極３４、３５を除く部分が絶縁されているため、電極３４、３５と接続されたプラス端子１８及びマイナス端子２０以外の端子とは導通しない。
【００２６】
以下に、上記構成のデジタルカメラ１２及び電池３１の作用について説明する。デジタルカメラ１２に電池３１を装填するときには、先ず、筐体１３の下面にヒンジ１６によって回動自在に連結されている電池カバー１５を回動させ、挿入口１４を開く（図１）。その後、上面３１ｅ又は底面３１ｆを挿入方向に向けて電池３１を挿入口１４から電池収納室１１に挿入する。そして、電池カバー１５を回動させて、挿入口１４を閉じる。このとき電池３１は、基準状態（図１、図２（Ａ））、上下反転状態（図２（Ｂ））、左右反転状態（図３（Ａ））、及び上下左右反転状態（図３（Ｂ））のいずれか一つの向きで電池収納室１１に収納される。
【００２７】
基準状態（図１、図２（Ａ））の向きで電池３１が電池収納室１１に収納された場合は、正電極３４はプラス端子２２と接続され、負電極３５はマイナス端子２３と接続される。その結果、デジタルカメラ１２は通電し、撮影が可能な状態となる。
【００２８】
上下反転状態（図２（Ｂ））の向きで電池３１が電池収納室１１に収納された場合は、正電極３４はプラス端子２２と接続され、負電極３５はマイナス端子２４と接続される。その結果、デジタルカメラ１２は通電し、撮影が可能な状態となる。
【００２９】
左右反転状態（図３（Ａ））の向きで電池３１が電池収納室１１に収納された場合は、正電極３４はプラス端子１８と接続され、負電極３５はマイナス端子１９と接続される。その結果、デジタルカメラ１２は通電し、撮影が可能な状態となる。
【００３０】
上下左右反転状態（図３（Ｂ））の向きで電池３１が電池収納室１１に収納された場合は、正電極３４はプラス端子１８と接続され、負電極３５はマイナス端子２０と接続される。その結果、デジタルカメラ１２は通電し、撮影が可能な状態となる。
【００３１】
以上より、いずれの向きであっても電池３１が電池収納室１１に収納されれば、デジタルカメラ１２は通電し、撮影が可能な状態となるので、挿入する際に電池３１の向きの確認が不要であり、挿入動作が容易である。
【００３２】
なお、上記第１実施形態において、接続部が電池収納室１１の互いに対面する左右両側面にそれぞれ設けられている場合を例に説明したが、これに限定されるのではなく、互いに対面する前後両側面にそれぞれ設けられていても良い。この場合、電池の電極面はその前面又は後面に位置する必要がある。
【００３３】
また、上記第１実施形態において、接続部が電池収納室１１の互いに対面する２つの面にのみそれぞれ設けられている場合を例に説明したが、これに限定されるのではない。例えば、電池の挿入方向と直交する面が略正方形に形成されている場合、接続部は互いに対面する前後及び左右の４箇所の側面にそれぞれ設けられていても良い。
【００３４】
また、上記第１実施形態において、電池の外形が略直方体に形成されている場合を例に説明したが、これに限定されるのではなく、電極面がその中心軸回りに所定の角度で回転したときに同形状となる略回転対称形状であり、その電極面と略直交する方向に沿って電極面と略同一の断面形状が連続する略柱形状に形成されていれば良い。さらに、その電極面がその中心軸回りに１８０度回転したときに同形状となる点対称形状であれば、なお良い。
【００３５】
以下、本発明の第２実施形態を適用した電池収納室４１を備えたデジタルカメラ４２、及び電池５１について図面を参照しながら説明する。図４に示すように、デジタルカメラ１２には、筐体１３の内部に電池５１を収納する略直方体形状の電池収納室４１が形成されている。
【００３６】
本実施形態に係る電池５１は、その外形が略直方体に形成されている。以下では説明の都合から、電源であることを示す「ＢＡＴ．」マークが付された面を正面５１ａ、その反対側を背面５１ｂ、正面５１ａの短辺を横にして見たときの両側を側面５１ｃ、５１ｄ、「ＢＡＴ．」マークに対して上下の面をそれぞれ上面５１ｅ、底面５１ｆとする。この電池５１は、正面５１ａの長辺を縦に、短辺を横にした基準状態の向き（図４、図５（Ａ）参照）を含む複数の向きで電池収納室４１へ挿入可能となっている。この電池５１は、上面５１ｅが電極面となっており、この上面（電極面）５１ｅは、縦長矩形の中心線に沿って正電極（第１電極）５４、負電極（第２電極）５５が形成されている。さらに、正電極５４は、電極面５１ｅの略中央に配されている。電池５１は、正電極５４、負電極５５を除く略全ての部分が電気絶縁性の高い部材によって覆われており、電極５４、５５以外の部分では導電しないようになっている。
【００３７】
電池収納室４１は、電池５１に合わせて底面が開口された略直方体形状で、その天板が接続面（接続部）４３となっている。この接続面４３は、上述した電池５１の電極面５１ｅと略同寸法の縦長矩形で、プラス端子（第１接続端子）４４と、マイナス端子（第２接続端子、第３接続端子）４５、４６とが形成されている。接続面４３の中心線は、デジタルカメラ４２の左右方向と略平行であり、この中心線に沿ってマイナス端子４５、プラス端子４４、マイナス端子４６と順に並び、さらに接続面４３の略中央に位置するプラス端子４４からマイナス端子４５及び４６までの間隔が略均等に配されている。
【００３８】
上述した電池収納室４１に設けられているプラス端子４４と、マイナス端子４５、４６との間隔ＤＢ１は、電池５１に形成された正電極５４及び負電極５５の間隔ＤＡ１と等しくなっている。なお、その他の構成は、第１実施形態のデジタルカメラ１２と同様であり、同じ部品については同一の符号を付して説明を省略する。
【００３９】
以下では、本実施形態の電池５１を電池収納室４１に挿入するときの動作について説明する。先ず、電池５１を図５（Ａ）に示す基準状態の向きにしてその上面５１ｅが電池収納室４１の天板に当接するまで挿入すると、正電極５４はプラス端子４４と接続し、負電極５５はマイナス端子４５と接続する。なお、電池５１は、電極５４、５５を除く部分が絶縁されているため、電極５４、５５と接続されたプラス端子４４及びマイナス端子４５以外の端子であるマイナス端子４６とは導通しない。
【００４０】
電池５１は、略直方体形状であることから、挿入方向と平行なＺ軸を中心に１８０度回転させても外観上の形状は略同一である。基準状態の向きの電池５１を、Ｚ軸を中心に１８０度回転させて、図５（Ｂ）に示す左右反転状態の向きにしてその上面５１ｅが電池収納室４１の天板に当接するまで挿入すると、正電極５４はプラス端子４４と接続し、負電極５５はマイナス端子４６と接続する。なお、電池５１は、電極５４、５５を除く部分が絶縁されているため、電極５４、５５と接続されたプラス端子４４及びマイナス端子４６以外の端子であるマイナス端子４５とは導通しない。
【００４１】
以下に、上記構成のデジタルカメラ４２及び電池５１の作用について説明する。上面５１ｅを挿入方向に向けて電池５１を挿入口１４から電池収納室４１に挿入する。電池５１は、基準状態（図４、図５（Ａ））又は左右反転状態（図５（Ｂ））のどちらかの向きで電池収納室４１に収納される。
【００４２】
基準状態（図４、図５（Ａ））の向きで電池５１が電池収納室４１に収納された場合は、正電極５４はプラス端子４４と接続され、負電極５５はマイナス端子４５と接続される。その結果、デジタルカメラ４２は通電し、撮影が可能な状態となる。
【００４３】
左右反転状態（図５（Ｂ））の向きで電池５１が電池収納室４１に収納された場合は、正電極５４はプラス端子４４と接続され、負電極５５はマイナス端子４６と接続される。その結果、デジタルカメラ４２は通電し、撮影が可能な状態となる。
【００４４】
以上より、電極面５１ｅを上にして電池５１が電池収納室４１に収納されれば、デジタルカメラ４２は通電し、撮影が可能な状態となるので、挿入する際に電池５１の向きの確認が不要であり、挿入動作が容易である。
【００４５】
なお、上記第１及び第２実施形態において、電極面の略中央に正電極（第１電極）が形成され、その正電極から所定間隔を置いて電極面上に負電極（第２電極）が形成されている場合を例に説明したが、これに限定されるのではなく、電極面の略中央に負電極（第１電極）が形成され、その負電極から所定間隔を置いて電極面上に正電極（第２電極）が形成されていても良い。この場合、負電極と接続する第１接続端子はマイナス端子であり、正電極と接続する第２及び第３接続端子はプラス端子である必要がある。
【００４６】
また、上記第１及び第２実施形態において、第２電極が電極面上の中心線上に形成されている場合を例に説明したが、これに限定されるのではなく、第１電極から所定間隔を置いて電極面上に形成されていれば良い。この場合、電池収納室の接続面に設けられる第２及び第３接続端子は互いに、第１接続端子を中心にして点対称な位置に設けられ、第１及び第２の向きを含む複数の向きのいずれかの向きで電池が挿入されたときに第２電極と接続する必要がある。
【００４７】
また、上記第１及び第２実施形態において、電池収納室を備えた電子機器としてデジタルカメラの場合を例に説明したが、これに限定されるのではなく、例えば、デジタルビデオカメラ、携帯情報端末、携帯用パソコン、携帯用音楽再生装置などの各種電子機器にも適用することができる。
【図面の簡単な説明】
【００４８】
【図１】本発明の第１実施形態である電池と電池収納室を備えたデジタルカメラとの外観斜視図である。
【図２】電池収納室へ挿入する際の電池の向きについて説明する電池と電池収納室を備えたデジタルカメラとの前方からの断面図である。
【図３】電池収納室へ挿入する際の電池の向きについて説明する電池と電池収納室を備えたデジタルカメラとの前方からの断面図である。
【図４】第２実施形態である電池と電池収納室を備えたデジタルカメラとの外観斜視図である。
【図５】電池収納室へ挿入する際の電池の向きについて説明する電池と電池収納室を備えたデジタルカメラとの前方からの断面図である。
【符号の説明】
【００４９】
１１、４１  電池収納室
１２、４２  デジタルカメラ
１３  筐体
１４  挿入口
１５  電池カバー
１６  ヒンジ
１７、２１、４３  接続面
１８、２２、４４  プラス端子
１９、２０、２３、２４、４５，４６  マイナス端子
３１、５１  電池
３１ａ、５１ａ  正面
３１ｂ、５１ｂ  背面
３１ｃ、５１ｅ  電極面
３１ｄ、５１ｃ、５１ｄ  側面
３１ｅ  上面
３１ｆ、５１ｆ  底面
３４、５４  正電極
３５、５５  負電極
【図１】
2007280685.tif 000003
【図２】
2007280685.tif 000004
【図３】
2007280685.tif 000005
【図４】
2007280685.tif 000006
【図５】
2007280685.tif 000007